(57)【要約】【課題】離れた位置からも視認可能であり、またプライスカード挿入部の邪魔にならないようにしたディスプレイ機能付きカートンを提供すること。【解決手段】正面パネル２には、下辺から所定距離だけ内側に離れた位置にある下側区画線と、左右両辺からそれぞれ所定距離だけ内側に離れた位置にある左側区画線と右側区画線とにより表示部分Ｄが区画されており、左側区画線と右側区画線のいずれか一方が折り線で形成されるとともに残りの区画線が破断線で形成されており、表示部分Ｄにはそれを縦方向に分割する位置に折り線ｐが形成されており、破断線のところを切断した表示部分Ｄを外側に突き出るように折り曲げた状態で固定する係止手段が設けられている。【選択図】図５
2015063308.tif 000002
【特許請求の範囲】
【請求項１】
正面パネルと背面パネルと左右の側面パネルとからなる胴部と、その胴部の上下を閉じる蓋部と底部とからなるカートンであって、正面パネルには、下辺から所定距離だけ内側に離れた位置にある下側区画線と、左右両辺からそれぞれ所定距離だけ内側に離れた位置にある左側区画線と右側区画線とにより表示部分が区画されており、左側区画線と右側区画線のいずれか一方が折り線で形成されるとともに残りの区画線が破断線で形成されており、表示部分にはそれを縦方向に分割する位置に折り線が形成されており、破断線のところを切断した表示部分を外側に突き出るように折り曲げた状態で固定する係止手段が設けられていることを特徴とするディスプレイ機能付きカートン。
【発明の詳細な説明】
【技術分野】
【０００１】
本発明は、板紙からなるカートンの技術分野に属し、詳しくは、菓子類などの個装製品をまとめて流通するとともに、これをそのまま店頭にて展示するために用いられるディスプレイ機能付きカートンに関するものである。
【背景技術】
【０００２】
従来より、菓子類などの個装製品をまとめて運搬する際に、ダース函や１０ピース、２０ピースの集積ケースを始めとする各種の紙製カートンが用いられており、このような個装製品を集積したカートンにあっては、スーパーやコンビニエンスストアなどの店頭において販売するときに、カートン上部を取り去ることで中の個装商品を露出させ、カートンに入った状態のまま棚に並べるようにすることが行われている。そして、店頭に並べて陳列する場合、多くの商品がひしめき合っている限られた棚上の展示スペースにカートンを置くことになるが、このような場所に陳列した商品を購入者に目立たせるようにしたものとして、ディスプレイ機能を組み込んだカートンが知られている。
【０００３】
例えば、特許文献１には、前板とそれに連設する天部フラップを残して上部を取り除いてから、前板上半と天部フラップとにより前方に傾斜して固定されるディスプレイパネルを形成するようにしたものが記載されている。また、特許文献２には、胴部を周回するジッパーで上部を開放して内容物を露出させてから、残った前板に区画されている傾斜表示板をその下方が突出する状態で固定するようにしたものが記載されており、特許文献３には、上部がないか或いは上部を切り取ったカートンにおける正面板の中央部で表示部分を形成し、正面板の両側部で商品の前方への点灯や落下を防止するようにしたものが記載されている。
【先行技術文献】
【特許文献】
【０００４】
【特許文献１】特開平１０−３３８２２６号公報
【特許文献２】特開２００１−２１３４２４号公報
【特許文献３】特開２００４−５１１５０号公報
【発明の概要】
【発明が解決しようとする課題】
【０００５】
上記したディスプレイ機能の付いたカートンは、いずれも表示部分がカートン正面から下方に向かって前方に傾斜している。そのため、カートンの正面に立つと表示部分の内容がよく見えるが、カートンを離れたところや通路の遠くからは、表示部分が斜めになってその内容が見えにくいという問題がある。また、棚の前端に起立するプライスカード挿入部に表示部分の下部が重なって価格が見えにくくなるという問題もある。
【０００６】
本発明は、このような問題点に鑑みてなされたものであり、その目的とするところは、離れた位置からも視認可能であり、またプライスカード挿入部の邪魔にならないようにしたディスプレイ機能付きカートンを提供することにある。
【課題を解決するための手段】
【０００７】
上記の目的を達成するため、本発明のディスプレイ機能付きカートンは、正面パネルと背面パネルと左右の側面パネルとからなる胴部と、その胴部の上下を閉じる蓋部と底部とからなるカートンであって、正面パネルには、下辺から所定距離だけ内側に離れた位置にある下側区画線と、左右両辺からそれぞれ所定距離だけ内側に離れた位置にある左側区画線と右側区画線とにより表示部分が区画されており、左側区画線と右側区画線のいずれか一方が折り線で形成されるとともに残りの区画線が破断線で形成されており、表示部分にはそれを縦方向に分割する位置に折り線が形成されており、破断線のところを切断した表示部分を外側に突き出るように折り曲げた状態で固定する係止手段が設けられていることを特徴としている。
【発明の効果】
【０００８】
本発明のディスプレイ機能付きカートンは、開封して店頭の棚に陳列する際に、正面パネルの表示部分を区画する折り線を残して破断線のところを破り、その表示部分を外側に突き出るように折り線のところで折り曲げて係止手段により固定するだけで、簡単に表示部分を目立つ状態に組み立てることができる。そして、組み立てた表示部分は、縦方向に起立する状態で突き出ているので、離れた位置からも視認可能である。また、左右どらち側から見てもカートンの表面が見えるため、板紙に印刷を施す際に裏面に印刷することが不要である。また、表示部分を区画する下側区画線の位置を棚に合わせて適宜設計することにより、棚のプライスカード挿入部との干渉を避けることができる。
【図面の簡単な説明】
【０００９】
【図１】本発明に係るディスプレイ機能付きカートンの一例を示す斜視図である。
【図２】図１のディスプレイ機能付きカートンを組み立てるブランクを示す展開図である。
【図３】図２のブランクの一部を拡大して示す説明図である。
【図４】図１のディスプレイ機能付きカートンを開けた状態で示す斜視図である。
【図５】図１のディスプレイ機能付きカートンを開封した後でその表示部分を組み立てた状態で示す斜視図である。
【発明を実施するための形態】
【００１０】
次に、本発明の実施形態について図面を参照しながら詳細に説明する。
【００１１】
図１は本発明に係るディスプレイ機能付きカートンの一例を示す斜視図であり、このカートンは図２にその展開図を示すブランクを組み立てて形成される。
【００１２】
図２のブランクは、板紙を打ち抜いて形成されたもので、図示のように、縦方向の折り線ａ，ｂ，ｃを介して左側面パネル１、正面パネル２、右側面パネル３、背面パネル４がこの順で連設され、左側面パネル１の反対側に折り線ｄを介して糊代片５が連設されている。また、左側面パネル１と右側面パネル３の下辺にはそれぞれ折り線ｅ，ｆを介して底面パネル６，７連設され、正面パネル２と背面パネル４の下辺にはそれぞれ折り線ｇ，ｈを介して底片８，９が連設されており、正面パネル２と背面パネル４の上辺にはそれぞれ折り線ｉ，ｊを介して折曲げ片１０，１１が連設されており、左側面パネル１の上辺には折り線ｋを介して蓋パネル１２が連設され、その蓋パネル１２の先端には折り線ｌを介して差込み片１３が連設されている。
【００１３】
このブランクの正面パネル２には、図３に拡大して示すように、組立てが可能な表示部分Ｄが区画されている。すなわち、正面パネル２の下辺から所定距離だけ内側に離れた位置にある下側区画線ｍと、左右両辺からそれぞれ所定距離だけ内側に離れた位置にある左側区画線ｎと右側区画線ｏとにより表示部分Ｄが区画されている。このうち左側区画線ｎは押し罫からなる折り線で形成されるとともに、下側区画線ｍと右側区画線ｏは図示の如く複数のツナギのある切れ目線からなる破断線で形成されており、表示部分Ｄにはそれを縦方向に二分する位置に折り線ｐが形成されている。
【００１４】
表示部分Ｄの左側区画線ｎは、上端が正面パネルの上辺より少し下方にあり、その上端から内側下向きに延びる湾曲状の補助線ｑが正面パネル２の上辺まで設けられ、その補助線ｑはツナギのある切れ目線で形成されており、折曲げ片１０の端縁まで真っ直ぐ上向きに延設されている。また、左側区画線ｎの下端は表示部分の下側区画線ｍより少し上方にあり、その下端から内側上向きに延び下側区画線ｍに至る湾曲状の補助線ｒが設けられ、その補助線ｒはツナギのある切れ目線で形成されていて下側区画線ｍの左側を延長した形になっている。これにより、表示部分Ｄの左側には、折り線である左側区画線ｎの上下にそれぞれ内向きの凸部が形成されるようになっている。
【００１５】
表示部分Ｄの右側区画線ｏは、上端が正面パネルの上辺より少し下方で内側に小さく湾曲して横方向に所定の長さだけ延び、さらに小さく湾曲して上向きとなる屈曲状の補助線ｓが正面パネル２の上辺まで設けられ、その補助線ｓはツナギのある切れ目線で形成されており、折曲げ片１０の端縁まで真っ直ぐ上向きに延設されている。また、右側区画線ｏの下端は表示部分の下側区画線ｍより少し上方で内側に小さく湾曲して横方向に所定の長さだけ延び、さらに小さく湾曲して下向きとなる屈曲状の補助線ｔを経て下側区画線ｍに至っており、その補助線ｔはツナギのある切れ目線で形成されていて下側区画線ｍの右側を延長した形になっている。これにより、表示部分Ｄの右側には、右側区画線ｏと上下の補助線ｓ，ｔにより突出し部が形成されるようになっている。
【００１６】
そして、破断線のところで切り取った表示部分Ｄを二つ折りしたときに、右側の突出し部が左側区画線ｎの上下にある凸部と係合できるようにするため、上下の補助線ｓ，ｔは左側区画線ｎの上端と下端にそれぞれ合致する高さであって、中央の折り線ｐから左側区画線ｎまでの距離を含む長さの線分となるように形成されている。
【００１７】
図２のブランクを組み立てて図１に示すディスプレイ機能付きカートンを形成するが、その手順は通常のカートンと同様である。まず、底面パネル６，７の折返し部６ａ，７ａをそれぞれ底片８，９に貼り合わせるとともに、糊代片５を背面パネル４に貼り合わせたサック貼り状態で折り畳む。そして、この折り畳んだブランクを起こすと、底面パネル６，７の部分がオートロックされてカートンの底部が形成される。なお、底面パネル６，７の折返し部６ａ，７ａを区画する折り線ｕ，ｖは、押し罫の途中に切込みのあるリード罫で形成されている。このように起函してから、複数個の個装製品を並べた状態で中に入れ、折曲げ片１０，１１を折り込んでから、蓋パネル１２の先端にある差込み片１３を右側面パネル３の内側に差し込んで蓋パネル１２を閉じることで組立てを完了する。
【００１８】
図１のディスプレイ機能付きカートンは、店頭に陳列するに際し、蓋パネル１２を開けて開封した後、中の個装製品Ｓを取出しやすくするため、図４に示すように蓋パネル１２を切り離す。このとき、折曲げ片１１，１０も切り離すようにするが、正面パネル２の折曲げ片１０については、補助線ｑ，ｓからなる破断線で区画された両端部分のみを切り離して残りを表示部分Ｄの一部とする。そして、蓋パネル１２、折曲げ片１１、折曲げ片１０の両端部分を切り離すのを容易とするため、図２に示すように、折り線ｋ、折り線ｊ、折り線ｉの両端部分をミシン目で形成しておくことが好ましい。
【００１９】
このように開封後のカートンの上部を開けてから、図５に示す如く、正面パネル２の表示部分Ｄを組み立てる。具体的には、表示部分Ｄの折り線（左側区画線ｎ）を残して破断線（右側区画線ｏ、上下の補助線ｓ，ｔ、下側区画線ｍ、上下の補助線ｑ，ｒ）のところを破り、左側区画線ｎで繋がった表示部分Ｄを外側に突き出るように中央の折り線ｐのところで二つ折りし、右側の突出し部を左側区画線ｎの上下にある凸部と係合させて固定する。このようにして組み立てることで、図５に示すように、正面パネル２に区画されていた表示部Ｄが縦方向に起立した状態で突き出た状態となる。したがって、手で簡単に表示部分を目立つ状態に組み立てることができる。
【００２０】
上記のディスプレイ機能付きカートンは、表示部分Ｄを組み立ててから店頭にて棚に並べる。このように棚上に陳列すると、表示部分Ｄは縦方向に起立する状態で突き出ているので、通路の端の方の離れた位置から視認することができる。そして、正面パネル２は表示部分Ｄを区画していたところが開いているので、棚の前方から中の個装商品Ｓを取り出しやすいという利点もある。また、左右どらち側から見てもカートンの表面が見えるため、板紙に印刷を施す際に裏面に印刷することが不要である。また、表示部分Ｄを区画する下側区画線ｍの位置を棚に合わせて適宜設計することにより、棚のプライスカード挿入部との干渉を避けることができる。
【００２１】
以上、本発明の実施の形態について、一つの例を挙げて詳細に説明してきたが、本発明によるディスプレイ機能付きカートンは、上記実施の形態に何ら限定されるものではなく、本発明の趣旨を逸脱しない範囲において種々の変更が可能であることは当然のことである。
【００２２】
例えば、上記の例では、表示部分を二分する位置に折り線を設けておき、外側に突き出るように二つ折りしたが、本発明での表示部分は三分割、四分割あるいはそれ以上に分割するところに折り線を設けることも可能であり、このように３本以上の折り線を設けることで表示部分を立体的に突き出る形で組み立てることができる。
【００２３】
また、上記の例では、表示部分Ｄを外側に突き出るように二つ折りした状態で固定する係止手段として、突出し部と上下の凸部の組合せからなる構成を採用したが、他の係止手段を採用しても構わない。
【００２４】
また、上記の例では、折曲げ片１０の中央部分を表示部分Ｄの一部として利用しており、これによって表示部分Ｄの上部を大きくしているが、必要に応じて、折曲げ片１０全体を切り落とすように構成してもよい。
【符号の説明】
【００２５】
１  左側面パネル
２  正面パネル
３  右側面パネル
４  背面パネル
５  糊代片
６，７  底面パネル
６ａ，７ａ
８，９  底片
１０，１１  折曲げ片
１２  蓋パネル
１３  差込み片
Ｄ  表示部分
ａ〜ｌ  折り線
ｍ  下側区画線
ｎ  左側区画線
ｏ  右側区画線
ｐ  折り線
ｑ〜ｔ  補助線
ｕ，ｖ  折り線
【図１】
2015063308.tif 000003
【図２】
2015063308.tif 000004
【図３】
2015063308.tif 000005
【図４】
2015063308.tif 000006
【図５】
2015063308.tif 000007